(57)【要約】      （修正有）【課題】学童が高学年になってもランドセルを背負いやすくする。【解決手段】背板と、大マチ部５の周縁を内側に折り曲げて形成した縫代部とを縫着して収容部２を形成し、該収容部の底面中央に位置した尾錠の左右対称位置に着座部を取付け、前記収容部２の両側下方の対称位置に回転可能に取付けた連結具４０と、一端を収容部２の背環に連結した背負帯２０の先端調節部の長さを調節可能に連結して形成してある。そのため、学童が高学年になってもランドセルの背負い降しをスムーズにして背負いやすい利点がある。【選択図】図１
0003133399.tif 000002
【実用新案登録請求の範囲】
【請求項１】
背板（３）と大マチ部（５）と小マチ部（７）と前ポケット（８）と蓋板（９）とからなる収容部（２）と、一端を前記背板（３）の上端中央に取付けた背負帯（２０、３０）とからなるランドセル（１）において、
前記収容部（２）の両側下方の対称位置に、前記背負帯（２０、３０）の先端調節部（２２、３２）を直接または下ベルト（２５）を介して長さを調節可能に連結する連結具（４０、６０）を回転可能に取付けてなることを特徴とするランドセル。
【請求項２】
前記収容部（２）は、大マチ部（５）の周縁を内側に折り曲げて形成した縫代部（６）の内側に位置した背板（３）と縫着して形成し、収容部（２）の底面中央に位置した尾錠（１２）の左右対称位置に着座部（１６）を取付けてなることを特徴とする請求項１記載のランドセル。
【請求項３】
収容部（２）の正面下方に取付けた第２尾錠（１５）が、前ポケット（８）の正面中央下部に取付けた雄部（１５ａ）と蓋板（９）側に取付けた雌部（１５ｂ）とからなり、前記雄部（１５ａ）が先端に回動つまみを有する係止突起または磁石あるいは雄面ファスナであり、雌部（１５ｂ）が前記係止突起の回動つまみが挿通する孔または磁石に吸着する鉄板あるいは雌面ファスナであることを特徴とする請求項１記載のランドセル。
【請求項４】
前記背負帯（２０）が、一対の長尺な上ベルト（２１）と同じく一対の短尺な下ベルト（２５）とからなり、上ベルト（２１）は一端を前記背板（３）の上端中央に取付けた背環（４）に連結し、下ベルト（２５）は一端を前記収容部（２）の両側に取付けた連結具（４０、６０）に連結し、該下ベルトの先端に取付けたバックル部（２６）と前記上ベルト（２１）の先方に設けた調節部（２２）とを着脱可能に連結して上ベルト（２１）の長さを調節可能に形成したことを特徴とする請求項１記載のランドセル。
【請求項５】
前記背負帯（３０）は一対の長尺ベルトからなり、該背負帯（３０）の先方に設けたベルト部（３１）の先端に調節部（３２）を設け、該調節部には前記連結具（４０、６０）のベルト挿通孔（５３、６６）に挿通して折り返す折曲部（３３）と該折曲部を挟んで一方に雄面部（３４）、他方に雌面部（３６）を設けてなり、該背負帯（３０）は一端を前記背板（３）の上端中央に取付けた背環（４）に連結し、先端調節部（３２）を前記連結具（４０、６０）の挿通孔（５３、６６）に挿通して折り返し、任意長さに調整して雄面部（３４）と雌面部（３６）とを着脱可能に接着して連結してなることを特徴とする請求項１記載のランドセル。
【請求項６】
前記連結具（４０）が、収容部（２）の外側面下方に取付ける基台部（４１）と該基台部上に回転可能に軸支する回転コマ（４４）と一端にベルト挿通孔（５３）を設けて前記回転コマ（４４）の側面に枢動可能に軸支する連結環（５０）とからなることを特徴とする請求項１記載のランドセル。
【請求項７】
前記連結具（６０）が、収容部（２）の外側面に取付ける基台部（６１）と該基台部に回転可能に軸支する回転コマ（６３）とからなり、該回転コマ（６３）の一側に設けた連結部（６５）の先端に挿通孔（６６）を設けてなることを特徴とする請求項１記載のランドセル。
【請求項８】
背板（３）と大マチ部（５）と小マチ部（７）と前ポケット（８と蓋板（９）とからなる収容部（２）と、一対の長尺な上ベルト（２１）と一対の短尺な下ベルト（２５）からなる背負帯（２０）とからなるランドセル（１）において、
前記大マチ部（５）の縫代部（６）を内側に折り曲げて前記背板（３）と縫着して形成し、外底面の中央に取付けた尾錠（１２）の左右対称位置に円柱状の着座部（１６）を取付け、同じく収容部（２）の両外側下方の対称位置に、それぞれ基台部（４１）と該基台部上に回転可能に軸支した回転コマ（４４）と該回転コマの側面に枢動可能に軸支した連結環（５０）とからなる連結具（４０）を取付け、該連結具の連結環（５０）に取付けた下ベルト（２５）のバックル部（２６）と上ベルト（２１）の調節部（２２）とを着脱可能に連結して背負帯（２０）の長さを調節可能に形成してなることを特徴とするランドセル。
【請求項９】
前記収容部（２）に取付けた尾錠（１５）が前ポケット（８）の正面中央下部に位置し、該前ポケット（８）側に設けた雄部（１５ａ）が先端に回動つまみを有する係止突起または磁石あるいは雄面ファスナであって、蓋板（９）側に取付けた雌部（１５ｂ）が前記係止突起の回動つまみが挿通する孔または磁石に吸着する鉄板あるいは雌面ファスナであることを特徴とする請求項８記載のランドセル。
【考案の詳細な説明】
【技術分野】
【０００１】
本考案は、学童用ランドセルの改良に関する。
【背景技術】
【０００２】
従来、学童用ランドセルは、体力のない小さな小学１年生から成長著しい大きな６年生までの６年間使用できるようにさまざまな工夫がなされている。特に、高学年になると学童の身長が伸びるに伴い肩幅が広くなることから、ランドセルの背負い降ろしが窮屈とならないように背負帯の長さを調節可能に形成してある。
【０００３】
通常、ランドセル７０に取付ける背負帯８１は、図１５に示すごとく、長尺な上ベルト８２と短尺な下ベルト８３とからなり、上ベルト８２は一端を背板の上端中央に取付けた背環に連結し、下ベルト８３は一端をランドセルの底面中央に取付けた尾錠７５の左右に回転可能に取付けただるま環７７に連結されている。前記下ベルト８３に取付けたバックル（図示せず）と上ベルトの先端に設けた複数の係止孔（図示せず）とを着脱可能に連結して上ベルトの長さを調節して使用することが知られている。
【特許文献１】特開平９−２６２１１４号
【特許文献２】登録実用新案第３０１１７０７号
【０００４】
しかし、昨今の学童の成長は著しく特に高学年になると大人と同じくらいの肩幅を有する学童も珍しくはない。そのため背負帯８１の上ベルト８２に設ける穴の数を増やして伸ばせるようにすことなどによって背負い難さに対応している。また、ランドセル７０に取付けてある下ベルト８３は、前記したランドセル７０の底面中央に設けた尾錠７５の左右に回転可能に位置させただるま環７７に連結されているため、下ベルト８３は幅方向、即ちランドセルの左右方向に移動させるることができなかった。
【０００５】
そのため、成長が著しい高学年や冬季などの着膨れ時期になると上ベルト８２の長さを最大に伸ばしても、下ベルト８３の支持位置が固定されていて横幅が狭いため、脇が窮屈になり背負帯８１の輪に腕をスムースに通すのが困難となり、ランドセル７０の背負い降ろしが窮屈であった。また、上ベルト８２の長さをさらに長くして輪を大きく調節すると、ランドセル７０を背負ったとき、ランドセルの上方と背中が離れたり、ランドセルが下方に下がって歩行中にランドセルが安定せず歩き難くい。
【０００６】
さらに、ランドセル７０を背負ったとき、下ベルト８３は身体の脇に当接するが、下ベルト８３の形状が直線状に形成されていると、下ベルトは背板の下辺から斜めに出て捩じられながら上ベルトと連結されている。そのため、下ベルトの平面部分が身体に当接せず、縁の部分が当たって擦れるため違和感があり背負いにくくなる。そのため、上ベルトと下ベルトはそれぞれ身体にフィットしやすいように曲線状（ひねり）に形成してベルトの平面部分が当たるように形成したものが知られている。
【特許文献３】特開２００３−２６５２１６号
【０００７】
そのため、下ベルトは身体に添って曲線状にはなるが、下ベルトの支点はランドセルの底面に固定されたままで、ランドセルの幅方向への移動ができないため、脇部分が広がらず高学年の学童にとってはランドセルの背負い降しが不便であった。また、背負帯の製造に手間がかかりコスト高になるなど多くの問題点を有していた。
【考案の開示】
【考案が解決しようとする課題】
【０００８】
本考案が解決しようとする課題は、学童が高学年になってもランドセルの背負い降しをスムースにして背負いやすいランドセルを提供すると共に、ランドセルの製造コストの軽減を図ることを目的とするものである。
【課題を解決するための手段】
【０００９】
上記課題を達成するために請求項１の考案は、背板３と大マチ部５と小マチ部７と前ポケット８と蓋板９とからなる収容部２と、一端を前記背板３の上端中央に取付けた背負帯２０、３０とからなるランドセル１において、前記収容部２の両側下方の対称位置に、前記背負帯２０、３０の先端調節部２２、３２が直接または下ベルト２５を介して長さを調節可能に連結する連結具４０、６０を回転可能に取付けてなることを特徴とする。また、前記収容部２は、大マチ部５の周縁を内側に折り曲げて形成した縫代部６の内側に位置した背板３と縫着して形成し、収容部２の底面中央に位置した尾錠１２の左右対称位置に着座部１６を取付けてなることを特徴とする。さらに、収容部２の正面下方に取付けた第２尾錠が、前ポケット８の正面中央下部に取付けた雄部１５ａと蓋板９側に取付けた雌部１５ｂとからなり、前記雄部１５ａが先端に回動つまみを有する係止突起または磁石あるいは雄面ファスナであって、雌部１５ｂが前記係止突起の回動つまみが挿通する孔または磁石に吸着する鉄板あるいは雌面ファスナであることを特徴とする。さらにまた、前記背負帯２０が、一対の長尺な上ベルト２１と同じく一対の短尺な下ベルト２５とからなり、上ベルト２１は一端を前記背板３の上端中央に取付けた背環４に連結し、下ベルト２５は一端を前記収容部２の両側に取付けた連結具４０、６０に連結し、該下ベルトの先端に取付けたバックル部２６と前記上ベルト２１の先方に設けた調節部２２とを着脱可能に連結して上ベルト２１の長さを調節可能に形成してなることを特徴とする。また、前記背負帯３０が一対の長尺ベルトからなり、該背負帯３０の先方に設けたベルト部３１の先端に調節部３２を設け、該調節部には前記連結具４０、６０のベルト挿通孔５３、６６に挿通して折り返す折曲部３３と該折曲部を挟んで一方に雄面部３４、他方に雌面部３６を設けてなり、該背負帯３０は一端を前記背板３の上端中央に取付けた背環４に連結し、先端調節部３２を前記連結具４０、６０の挿通孔５３、６６に挿通して折り返し、任意長さに調整して雄面部３４と雌面部３６とを着脱可能に接着して連結してなることを特徴とする。さらに、前記連結具４０が、収容部２の外側面下方に取付ける基台部４１と該基台部上に回転可能に軸支する回転コマ４４と一端にベルト挿通孔５３を設けて前記回転コマ４４の側面に枢動可能に軸支する連結環５０とからなることを特徴とする。さらにまた、前記連結具６０が、収容部２の外側面に取付ける基台部６１と該基台部に回転可能に軸支する回転コマ６３とからなり、該回転コマ６３の一側に設けた膨張部６５の先端にベルト挿通孔６６を設けてなることを特徴とする。
【００１０】
したがって、背負帯を長くしなくても連結具４０、６０の取付け位置を幅方向に広げたことにより、脇を広くすることができるので学童が高学年になってもランドセルの背負い降しが楽でスムースの行うことができると共に、背負帯、特に下ベルトの形状をまっすぐのまま形成することができるので、ランドセルの製造コストの軽減を図ることができる。
【００１１】
請求項８の考案は、背板３と大マチ部５と小マチ部７と前ポケット８と蓋板９とからなる収容部２と、一対の長尺な上ベルト２１と一対の短尺な下ベルト２５かなる背負帯２０とからなるランドセル１において、前記大マチ部５の縫代部６を内側に折り曲げて前記背板３と縫着して形成し、外底面の中央に取付けた尾錠１２の左右対称位置に円柱状の着座部１６を取付け、同じく収容部２の両外側下方の対称位置に、それぞれ基台部４１と該基台部上に回転可能に軸支した回転コマ４４と該回転コマの側面に枢動可能に軸支した連結環５０とからなる連結具４０を取付け、該連結具の連結環５０に取付けた下ベルト２５のバックル部２６と上ベルト２１の調節部２２とを着脱可能に連結して背負帯２０の長さを調節可能に形成してなることを特徴とする。また、前記収容部２に取付けた尾錠１５が、前ポケット８の正面中央下部に位置し、該前ポケット８側に設けた雄部１３が先端に回動つまみを有する係止突起または磁石あるいは雄面ファスナであり、蓋板９側に取付けた雌部１５が前記係止突起の回動つまみが挿通する孔または磁石に吸着する鉄板あるいは雌面ファスナであることを特徴とする。
【００１２】
したがって、背負帯を長くしなくても連結具４０、６０の取付け位置を幅方向に広げたことにより、学童が高学年になってもランドセル１の背負い降しが楽でスムースの行うことができると共に、背板３と大マチ部５を縫着した外コバ部を無くしたことにより、ランドセルの側面と連結帯とが擦れて傷つくのを防止でき、また、下ベルト２５を曲線状に形状する工程が不要であるため、ランドセルの製造コストの軽減を図ることができる。
【考案を実施するための最良の形態】
【００１３】
本考案の実施形態を図面に基づいて説明すると、図１は本考案にかかるランドセルの第１の実施形態を示す斜視図、図２は同正面図、図３は大マチ部と背板とを縫着した状態を示す要部拡大断面図、図４は尾錠と着座部を底面に取付けたランドセルの底面図、図５は前ポケットの正面に第２尾錠を取付けたランドセルの説明図、図６は上ベルトを一部破断した平面図、図７は一端を連結具に取付けた下べルトの平面図である。ランドセル１は、背板３、大マチ部５、小マチ部７、前ポケット８および蓋板９とからなる収容部２と、この収容部２の背板３上部中央に取付けた背環４に一端を連結した一対の背負帯２０とにより構成されている。１８はランドセルの収容部２を構成する背板３の両側下端に取付けたコーナー片で、ランドセルの下方部分の補強と傷つきを防止している。
【００１４】
前記収容部２を構成する大マチ部５は、図３に示すごとく、上縁を除く三辺に設けた縫代部６をそれぞれ内側に折り曲げて背板３の周縁と縫着して形成したことにより、従来のランドセルのような大マチ部５の端部と背板とを縫着して外方に立ち上がらせた縫着部（いわゆるコバ）をランドセルの外側から無くすことによって大マチ部５の表面を平坦面に形成してある。そのため、ランドセルを背負ったとき、背負帯２０、３０がランドセル１の側面に当たって擦れないのでランドセル１や背負帯２０、３０へのキズつきを防止することができる。
【００１５】
収容部２の底部には、図４に示すごとく、蓋板９を開閉可能に止める回転可能な尾錠１２の雄部１２ａを取付け、蓋板９の下端に取付けた引張帯１０の先端に設けた雌部１２ｂと該雄部１２ａとを着脱可能に取付けてある。この尾錠１２の左右両側には、収容部２を展示するとき、または教科書を出し入れするときに机などの上に安定して立たせることができるように円柱状に形成した着座部１６を設けてある。
【００１６】
図５は、ランドセルに取付ける尾錠の他の実施例を示した第２尾錠１５で、前記収容部２の前ポケット８の正面中央下部に取付けた雄部１５ａと、蓋板９の下部中央に設けた雌部１５ｂとからなり、前記雄部１５ａは先端に回動つまみを有する係止突起からなり、雌部１５ｂは前記雄部１５ａの係止突起の回転つまみが挿通する孔により形成してある。蓋板９の閉口は、雄部１５ａの係止突起の回動つまみを蓋板９の雌部１５ｂに挿通し、該回動つまみを雌部１５ｂから突出させて直角方向に回転させることにより閉口して止めることができる。この第２尾錠１５は前記形態だけでなく、雄部１５ａが磁石または雄面ファスナで、蓋板９側に設けた雌部１５ｂが磁石に吸着する鉄板または雌面ファスナで形成してもよい。
【００１７】
前記背負帯２０は、図６、７に示すごとく、一対の長尺な上ベルト２１と、同じく一対の短尺な下ベルト２５とからなり、上ベルト２１は先端に調節部２２設けると共に、一端を前記背板３の上端中央に取付けた背環４に連結し、下ベルト２５は先端にバックル部２６を取付けると共に、他端を前記収容部２の両側下方に取付けた連結具４０の連結環５０に連結して形成してある。前記上ベルト２１の先方に設けた調節部２２は、複数の係止孔を長手方向に直線状に一定又は任意間隔ごとに形成し、下ベルトの先端に取付けたバックル部２６の係止ピン２７と着脱可能に連結して上ベルト２１の長さを調節可能に形成してある。
【００１８】
長尺ベルトである第２背負帯３０は、ランドセルに取付ける背負帯の他の実施形態で、図８、９に示すごとく、第２背負帯の先方に長尺でやや細幅のベルト部３１を形成し、該ベルト部３１の先端に長さを調節する調節部３２を設けてある。この調節部３２は、図８に示すごとく、図１０、１３に示した連結具４０、６０のベルト挿通孔５３、６６で折り返す折曲部３３を挟んで長手方向の一方に雄面部３４、他方に雌面部３６をそれぞれ形成し、この調節部３２の任意箇所には、該調節部を連結具４０、６０のベルト挿通孔５３、６６に挿通して折り返した端部を留める留輪３７を取付けてある。
【００１９】
このベルト部３１は、一端を前記背板３の上端中央に取付けた背環４に連結し、第２背負帯３０の先端を直接前記連結具４０、６０の挿通孔５３、６６に挿通して折り返し、互いの雄面部３４と雌面部３６とを着脱可能に接合することにより任意長さをした長尺ベルトである第２背負帯３０を形成してある。
【００２０】
前記連結具４０は、図１０から１２に示すごとく、大マチ部５の表面を貫通させたねじ軸５５に取付ける基台部４１と該基台部上に位置した回転コマ４４とを回転可能に軸支し、該回転コマの側面に連結環５０を枢動可能に軸支して形成してある。
【００２１】
この連結具４０の基台部４１は、図１２に示すごとく、断面凹型で中央垂直方向にねじ孔４２を形成し、図１１に示すごとく、回転コマ４４は上部を山型にした円柱状に形成し、回転コマ４４の上端面中央に凹溝部４６を設け、該該凹溝部の中央垂直方向にねじ孔４７をそれぞれ設けると共に、山型の稜線方向の両側に下端を開口した軸受溝４８を設けてある。
【００２２】
図１２に示すごとく、連結環５０は一端に前記回転コマ４４の軸受溝４８にそれぞれ挿通する一対の軸部５１と、該軸部の先端に軸部の脱落を防止する異径な係止部５２を連設し、他端には前記背負帯２０の調節部２１を挿通するベルト挿通孔５３を設けてある。
【００２３】
第２連結具６０はランドセルに取付ける連結具の他の実施形態で、図１３、１４に示す如く、収容部２の外側面に取付ける基台部６１と、該基台部に回転コマ６３をねじ軸６８で回転可能に軸支して形成してある。この回転コマ６３は中央にねじ軸６８を収容する凹溝部６４と、該凹溝部の中央にねじ孔６７を設けると共に、一側を膨出させた連結部６５を一体に形成すると共に、該連結部の一端にベルト挿通孔６６を設けてある。この回転コマ６３は、前記ねじ軸６８を支点にして大マチ部５に回動可能に取り付けてあり、基台部６１上を周方向にのみ回転させることによって背負帯２０、３０が幅方向に広がるのを防止することができる。
【００２４】
以下、本考案の実施形態の作用について説明すると、底面中央に尾錠１２を取付け、該尾錠の左右両側に着座部１６を設け、収容部２の両側大マチ部５の下方に連結具４０、６０を取付けて形成したランドセル１は、大マチ部５と背板３との縫着部（いわゆるコバ）をランドセルの外側から無くして側面，即ち大マチ部５の表面を平坦にしてスッキリさせたことにより、ランドセルを背負ったとき、背負帯２０、３１がランドセル１の側面に当たっても、従来のランドセルには設けてあるコバを有していないため擦れないのでランドセル１や背負帯２０、３１のキズつきを防止できる。
【００２５】
収容部２の底面に着座部１６，１６を取付けたことにより、ランドセル底面のキズ付きを防止し、また、自宅において時間割を揃えるための教科書の出し入れ時や、ランドセルを店頭で販売するときに、ランドセルの下面を安定して着座させることができて便利であり、この着座部によってランドセル底部の磨耗を防止することができる。
【００２６】
図５に示すごとく、第２尾錠１５を、収容部２の前ポケット８の正面中央下部に取付けて形成した場合、ランドセル底面の凹凸を無くしてフラットでスッキリさせることができ、且つ、底面の左右中央に円柱状で安定のよい着座部１６を取付けたことにより、着座部１６の高さを低く形成できるので、ランドセル１をより安定して着座させることができる。したがって、自宅における時間割揃えがランドセルを立たせたまま行えて便利であり、また、ランドセルを立たせて展示販売するとき、ランドセルの安定感が増して倒れにくいので、ランドセルの転倒による傷つきなどを防止することができる。
【００２７】
背負帯２０の下支点が幅方向に広がったこと、および、大マチ部の端部からコバを無くしたことにより、上ベルト２１と下ベルト２５とを直線状に連結することができ、ランドセルの側面に背負帯２０の擦れキズができずきれいで長持ちさせることができる。さらには、下ベルト２５の製造工程において、ベルトを湾曲させる工程が不要で直線状に形成することができるので、ベルトの製造コストを安価にすることができ経済的である。
【００２８】
長尺ベルト３０をランドセル１に取付けて使用する場合、前記背負帯２０のごとく、下ベルト２５が不要であるため製造コストを安価にすることができて経済的である。また、長尺ベルトである第２背負帯３０を連結する際、ベルト部３１の先端を直接、連結具４０、６０の挿通孔５３、６６に挿入して折り返して任意長さに調節して雄面部３４と雌面部３６とを接着するだけで簡単に連結することができる。
【００２９】
第１連結具４０を収容部２の両側下方に回転且つ枢動可能に取付けたことにより、背負帯２０の下支点を幅方向に広げることができ、腕を通す脇が広くなるので腕を通しやすくなってランドセルの背負い降しがスムースで楽に行えると共に、下ベルトが身体に密着しないので楽に背負うことができて疲れ難い。
【００３０】
第２連結具６０は、図１３に示すごとく、基台部６１に回転コマ６３を回転可能に軸支して形成したことにより、連結具の構成部品を少なく形成してあるため、製造コストが安価で経済的であると共に、回転コマ６３が周方向にのみ回転する構成であって扁平に形成してあるため、背負帯２０が幅方向に広がるのを防止することができる。
【図面の簡単な説明】
【００３１】
【図１】本考案にかかるランドセルの第１の実施形態を示す斜視図である。
【図２】同正面図である。
【図３】大マチ部と背板とを縫着した状態を示す要部拡大断面図である。
【図４】尾錠と着座部を底面に取付けたランドセルの底面図である。
【図５】前ポケットの正面に第２尾錠を取付けたランドセルの説明図である。
【図６】上ベルトを一部破断した平面図である。
【図７】一端を連結具に取付けた下べルトの平面図である。
【図８】長尺ベルトの一部破断した平面図である。
【図９】第１連結具の連結環に長尺ベルトの調節部を連結した状態を示す説明図である。
【図１０】第１連結具の平面図である。
【図１１】第１連結具の側面図である。
【図１２】図１０のＡ―Ａ断面図である。
【図１３】第２連結具の平面図である。
【図１４】第２連結具の側面図である。
【図１５】従来のランドセルの斜視図である。
【符号の説明】
【００３２】
１    ランドセル
２    収容部
３    背板
４    背環
５    大マチ部
６    縫代部
７    小マチ部
８    前ポケット
９    蓋板
１２  尾錠
１５  第２尾錠
１５ａ  雄部
１５ｂ  雌部
１６  着座部
２０  背負帯
２１  上ベルト
２２  調節部
２３  係止孔
２５  下ベルト
２６  バックル部
３０  第２背負帯
３１  ベルト部
３２  調節部
３３  折曲部
３４  雄面部
３６  雌面部
４０  第１連結具
４１  基台部
４４  回転コマ
５０  連結環
５３  挿通孔
６０  第２連結具
６１  基台部
６３  回転コマ
６５  連結部
６６  挿通孔
【図１】
0003133399.tif 000003
【図２】
0003133399.tif 000004
【図３】
0003133399.tif 000005
【図４】
0003133399.tif 000006
【図５】
0003133399.tif 000007
【図６】
0003133399.tif 000008
【図７】
0003133399.tif 000009
【図８】
0003133399.tif 000010
【図９】
0003133399.tif 000011
【図１０】
0003133399.tif 000012
【図１１】
0003133399.tif 000013
【図１２】
0003133399.tif 000014
【図１３】
0003133399.tif 000015
【図１４】
0003133399.tif 000016
【図１５】
0003133399.tif 000017